(57)【要約】【課題】再生信号のレベルが規定値を超えることを防止できるようにし、これにより運用面での便宜の向上を図った光伝送システムとその光受信装置を提供すること。【解決手段】移動通信システムの無線区間通信に使用される無線周波数帯域の主信号１にパイロット信号２３を合成した信号でアナログ変調された光信号を光ファイバ３を介して伝送する光伝送システムにおいて、光受信機ＯＲ１に光レベルモニタ７を備える。また、光受信機ＯＲ１において再生された無線周波数信号の利得を制御するための可変アッテネータ５を出力端子７０の前段に設ける。そして、受信信号に含まれるパイロット信号２３のレベルをもとに主信号６のレベルを安定化させるとともに、光レベルモニタ７によりモニタされる光信号の受光レベルが閾値以下となった場合には、可変アッテネータ５の減衰量を強制的に最大とするようにした。【選択図】      図２
2005277717.tif 000002
【特許請求の範囲】
【請求項１】
移動通信システムの無線区間通信に使用される無線周波数信号によりアナログ変調された光信号を光伝送路を介して伝送する光伝送システムにおいて、
前記光信号を生成して前記光伝送路に送出する光送信装置と、
前記光伝送路を介して前記光信号を受信する光受信装置とを具備し、
前記光送信装置は、
前記無線周波数信号にパイロット信号を合成する合成手段と、
この合成手段により前記パイロット信号の合成された無線周波数信号を電気／光変換して前記光信号を生成する電気／光変換手段とを備え、
前記光受信装置は、
前記光伝送路を介して到来する光信号の受光レベルを検出する光レベル検出手段と、
前記到来する光信号を電気信号に変換する光／電気変換手段と、
前記電気信号のレベルを調整するレベル調整手段と、
このレベル調整手段によりレベル調整された電気信号から前記無線周波数信号と前記パイロット信号とを分離する分離手段と、
この分離手段により分離されたパイロット信号の受信レベルをモニタするモニタ手段と、
前記分離された無線周波数信号のレベルを規定値とすべく、前記レベル調整手段の調整量を前記モニタ手段によりモニタされる受信レベルに基づいて制御する制御手段とを備え、
この制御手段は、前記光レベル検出手段により検出される受光レベルが既定の閾値以下の場合には、前記分離された無線周波数信号を０レベル相当とすべく前記レベル調整手段の調整量を制御することを特徴とする光伝送システム。
【請求項２】
前記レベル調整手段は可変減衰器であることを特徴とする請求項１に記載の光伝送システム。
【請求項３】
前記レベル調整手段は可変利得増幅器であることを特徴とする請求項１に記載の光伝送システム。
【請求項４】
移動通信システムの無線区間通信に使用される無線周波数信号にパイロット信号を合成した信号によりアナログ変調された光信号を光伝送路を介して伝送する光伝送システムにおいて、
前記光伝送路を介して到来する光信号の受光レベルを検出する光レベル検出手段と、
前記到来する光信号を電気信号に変換する光／電気変換手段と、
前記電気信号のレベルを調整するレベル調整手段と、
このレベル調整手段によりレベル調整された電気信号から前記無線周波数信号と前記パイロット信号とを分離する分離手段と、
この分離手段により分離されたパイロット信号の受信レベルをモニタするモニタ手段と、
前記分離された無線周波数信号のレベルを規定値とすべく、前記レベル調整手段の調整量を前記モニタ手段によりモニタされる受信レベルに基づいて制御する制御手段とを備え、
この制御手段は、前記光レベル検出手段により検出される受光レベルが既定の閾値以下の場合には、前記分離された無線周波数信号を０レベル相当とすべく前記レベル調整手段の調整量を制御することを特徴とする光受信装置。
【発明の詳細な説明】
【技術分野】
【０００１】
本発明は、無線信号などのアナログ信号で変調した光信号を光ファイバを介して伝送する光伝送システムと、この光伝送システムに用いられる光受信装置に関する。特に本発明は、ＩＭＴ−２０００などの移動通信システムの無線区間に使用される無線周波数信号により光信号を強度変調して伝送する光伝送システムに関する。
【背景技術】
【０００２】
近年、アナログの信号をアナログのまま伝送する通信システムが見直されている。なかでも光ファイバを用いた光アナログ伝送システムが注目されており、ＣＡＴＶ（Cable Television）ネットワークや移動通信網における中継システムとして適用されている。特に、携帯電話網に応用されるシステムはＲＯＦ（Radio Over Fiber）システムと称される。
【０００３】
ＲＯＦシステムは、ＩＭＴ−２０００に代表されるＣＤＭＡ（Code Division Multiple Access）方式、あるいは、ＴＤＭＡ（Time Division Multiple Access）方式などの種々の規格に基づく移動通信網への適用が検討されている。ＲＯＦシステムは、無線帯域（例えば２ＧＨｚ帯）のアナログ信号により変調される光信号を伝送することで長距離伝送を実現する。
【０００４】
この種のシステムにおいては、基地局との間でアナログ信号を授受する装置を親局装置と称する。また光ファイバを介して遠隔の不感地帯などに設置され、親局装置との間でアナログ信号を授受する装置を子局装置と称する。親局装置から子局装置への伝送方向をダウンリンクと称し、その逆をアップリンクと称する。
【０００５】
ところで、親局装置と子局装置とを繋ぐ光ファイバの長さ、品質、および中継器やコネクタの数などは敷設箇所に応じて異なるため、光信号に生じる損失も一定ではない。これに対して安定した伝送品質を得るためには、損失の変動によらず、伝送信号の入力端と出力端との間で一定の信号利得を得られるようにする必要がある。
【０００６】
送信側において主信号にパイロット信号を重畳し、受信側においてパイロット信号の受信レベルをモニタすることにより一定の信号利得を得られるようにしたシステムがある（例えば、特許文献１参照）。パイロット信号のレベルは伝送区間における利得変動を反映するため、このレベルが一定となるように受信側の利得を制御することにより一定の伝送利得を得ることができる。
【０００７】
しかしながら既存の技術ではパイロット信号のレベルだけをモニタするようにしているため、次のような弊害を生じる。すなわち、光伝送路の障害等により受信信号のレベルが低下するとパイロット信号のレベル低下が検知され、受信利得が最大にシフトされる。この状態から光信号が復旧すると、利得制御ループ応答が完了するまでの期間に規定値を超えるレベルの信号が再生されることになる。再生された信号を電波として放射する場合、過大負荷状態を生じて過大な電力を持つ電波が放射されることになり、電波法などの見地から非常に好ましくない。特に、光ファイバの交換時や接続変更時にこのような事が発生するために何らかの対処が望まれている。
【０００８】
なお特許文献２には、発光素子や受光素子等の劣化により受信側における受信レベルの低下による異常の仮復旧を行う光伝送装置、および、この光伝送装置を用いた光伝送システムが開示される。この文献に記載のシステムは、受信側におけるレベル低下を送信側に通知して送信側の送信レベルを制御することにより、受信側における受信レベルを安定化させるようにしている。
【特許文献１】特開平０９−２７０７４８号公報
【特許文献２】特開平０９−１３５２０９号公報
【発明の開示】
【発明が解決しようとする課題】
【０００９】
上記したように既存の光伝送システムは、パイロット信号のレベルのみによって伝送利得を制御するようにしている。このため光ファイバの保守作業時などに過大信号が放射されることが有り、何らかの対処が望まれている。
【００１０】
本発明は上記事情によりなされたもので、その目的は、再生信号のレベルが規定値を超えることを防止できるようにし、これにより運用面での便宜の向上を図った光伝送システムとその光受信装置を提供することにある。
【課題を解決するための手段】
【００１１】
上記目的を達成するために、本願発明の一態様によれば、移動通信システムの無線区間通信に使用される無線周波数信号によりアナログ変調された光信号を光伝送路を介して伝送する光伝送システムにおいて、前記光信号を生成して前記光伝送路に送出する光送信装置と、前記光伝送路を介して前記光信号を受信する光受信装置とを具備し、前記光送信装置は、前記無線周波数信号にパイロット信号を合成する合成手段と、この合成手段により前記パイロット信号の合成された無線周波数信号を電気／光変換して前記光信号を生成する電気／光変換手段とを備え、前記光受信装置は、前記光伝送路を介して到来する光信号の受光レベルを検出する光レベル検出手段と、前記到来する光信号を電気信号に変換する光／電気変換手段と、前記電気信号のレベルを調整するレベル調整手段と、このレベル調整手段によりレベル調整された電気信号から前記無線周波数信号と前記パイロット信号とを分離する分離手段と、この分離手段により分離されたパイロット信号の受信レベルをモニタするモニタ手段と、前記分離された無線周波数信号のレベルを規定値とすべく、前記レベル調整手段の調整量を前記モニタ手段によりモニタされる受信レベルに基づいて制御する制御手段とを備え、この制御手段は、前記光レベル検出手段により検出される受光レベルが既定の閾値以下の場合には、前記分離された無線周波数信号を０レベル相当とすべく前記レベル調整手段の調整量を制御する光伝送システムが提供される。
【００１２】
このような手段を講じることにより、光受信装置においてはパイロット信号の受信レベルが検出され、その結果に基づいてレベル調整手段の調整量が制御手段により制御される。よって、光受信装置側で再生された無線周波数信号のレベルは規定値に安定化され、伝送区間における信号利得を一定化することが可能になる。ただし、光信号の受光レベルが既定の閾値以下である場合にはレベル調整手段の出力レベルが強制的に最低とされ、これにより分離された無線周波数信号は０レベル相当となる。  
従って、再生された無線周波数信号のレベルは、如何なる場合においても規定値を超えないようになる。従って過度に高レベルの無線周波数信号が放射されることを防止することができる。
【発明の効果】
【００１３】
本発明によれば、再生信号のレベルが規定値を超えることを防止できるようになり、これにより運用面での便宜の向上を図った光伝送システムとその光受信装置を提供することができる。
【発明を実施するための最良の形態】
【００１４】
図１は、本発明に係わる光伝送システムの実施の形態を示すシステム図である。図１のシステムは、例えば携帯電話網などの移動通信システムを補助するために設けられ、基地局４０の展開するサービスエリアを光ファイバ３を用いて拡大するものである。この種のシステムはＲＯＦ（Radio Over Fiber）システムと称して知られている。この種の光アナログ伝送システムにおいては、光ファイバは、ネットワークベンダ（システム提供者など）からユーザ（通信事業者など）に規定の料金で貸し出される。ユーザは光ファイバに支線ファイバを接続して独自のネットワークを構築する。光ファイバは、融着、あるいはコネクタなどの光部品による接合により互いに接続される。
【００１５】
図１において、基地局４０は同軸ケーブルＣを介して親局装置２０に接続される。親局装置２０は、基地局４０から送信される無線周波数信号の一部を同軸ケーブルＣを介して取得する。親局装置２０は光ファイバ３を介して子局装置３０に接続される。なお親局装置２０と子局装置３０との間に光中継装置５０を設けても良い。無線周波数信号は、移動通信システムの無線区間通信に使用される帯域を有し、例えばＱＡＭ（Quadrature Amplitude Modulation）などの方式に基づいて変調される。その波形は時間とともにアナログ的に変動する。
【００１６】
基地局４０および移動局Ｔ１，Ｔ２は、例えばＩＭＴ−２０００に基づく移動通信システムに属する。基地局４０は例えば見晴らしの良いビル（ビル１００）の屋上などに設置されて無線ゾーンを展開する。無線ゾーン内に在圏する移動局Ｔ１は、このシステムに割り当てられたキャリア帯域の無線チャネルを介して基地局４０に接続される。
【００１７】
ビル１００の傍に高層ビル（ビル２００）が建設されたとすると、その直下などにおいては基地局４０からの無線周波数信号が届かず、不感地帯が形成されることがある。そこで子局装置３０を設け、光ファイバ３を介して基地局４０と子局装置３０との間に情報通信路を開設することにより不感地帯を解消することができる。このほか子局装置３０は、ビルの中などにも設置され、不感地帯の解消に役立てられる。
【００１８】
親局装置２０と子局装置３０とを繋ぐ光ファイバ３の長さはまちまちであり、光信号の減衰量も様々に異なる。伝送信号の入力端と出力端との間で、光信号の損失の変動によらず一定の信号利得を確保できれば、安定した伝送品質を得ることができる。次に、本発明の実施の形態をより詳細に説明する。
【００１９】
図２は、本発明に係わる光送信装置および光受信装置の実施の形態を示す機能ブロック図である。図２の光送信機ＯＴ１は図１の親局装置２０に備えられ、光受信機ＯＲ１は子局装置３０に備えられるとする。すなわち図２はダウンリンクにおける構成を示す。アップリンクにおいては光送信機ＯＴ１は子局装置３０に備えられ、光受信機ＯＲ１は親局装置２０に備えられることになる。通常のシステムではアップリンクおよびダウンリンクの双方向通信を実現するため、親局装置２０および子局装置３０のいずれも光送信機ＯＴ１および光受信機ＯＲ１を備える。
【００２０】
図３は、図２の光送信機ＯＴ１の一構成例を示すブロック図である。光送信機ＯＴ１はＬＤモジュールを備える。ＬＤモジュールはレーザーダイオード（ＬＤ）などの発光素子３１を備える。発光素子３１に印加されるバイアス電流には、図１の基地局４０から親局装置２０に導入される無線周波数信号（ＲＦｉｎ）が重畳される。これにより無線周波数信号の波形に応じてアナログ的に強度変調された光信号ＰＬＤが生成される。光信号ＰＬＤは図２の光ファイバ３に出力される（ＰＯＵＴ）。
【００２１】
一方、ＬＤモジュールにはモニタ用のフォトダイオード（ＰＤ）３３が備えられる。このモニタＰＤ３３はＰＬＤの強度に応じてモニタ電流Ｉｍを発生する。モニタ電流Ｉｍは光出力安定化回路３４に与えられる。光出力安定化回路３４はモニタ電流Ｉｍの値が一定になるように発光素子３１のバイアス電流ＩＬＤを制御する。これにより出力光ＰＯＵＴの強度は一定に保たれる。
【００２２】
図４は、図３の光出力安定化回路３４の作用を説明するための図である。図４のグラフにおける横軸は発光素子３１の駆動電流を示し、縦軸は光出力を示す。縦軸左側はモニタＰＤ３３への入射光強度を示し、縦軸右側は光ファイバ３への出射光強度を示す。図示されるように、発光素子３１は直流バイアス電流に無線周波数信号（ＲＦｉｎ）を交流成分として加える事により駆動される。直流動作点を発光素子３１の電流対光出力特性の直線部分に設定することにより歪みの発生を避けることができる。また発光素子３１の電流対光出力特性は経年変化などにより移動するため、これに追従する機構を設けるようにする。次に、上記構成における作用を詳しく説明する。
【００２３】
図２において、光送信機ＯＴ１は入力端子６０から導入された主信号１にパイロット信号２３を合成するための合成回路２２を備える。パイロット信号の合成された主信号１は発光素子３１により光信号に変換される。この光信号は光ファイバ３を介して光受信機ＯＲ１に達し、光／電気変換部（Ｏ／Ｅ）４に入力される。光信号は光／電気変換部４の受光素子３２により電気信号に変換される。
【００２４】
この電気信号は例えば電圧制御型の可変アッテネータ（ＡＴＴ）５を介して分離回路２４に入力される。分離回路２４は電気信号から主信号６とパイロット信号２３とを分離し、これにより主信号６が再生される。主信号６は出力端子７０に送出され、パイロット信号２３はレベルモニタ２５に入力される。レベルモニタ２５はパイロット信号２３の平均電力をモニタし、その結果を制御回路８に通知する。
【００２５】
制御回路８は、予め定められた規定値とパイロット信号２３の平均電力とを比較し、その差に基づいて、主信号６の出力レベルを規定値に安定化させるための制御信号を生成する。この制御信号は可変アッテネータ５に与えられてその減衰量が可変制御される。これにより主信号６の出力レベルが安定化される。
【００２６】
一方、受光素子３２には光レベルモニタ７が接続される。光レベルモニタ７は光ファイバ３を介して到来する光信号の受光レベルを検出する。なお光受信レベルと相関のある信号を用いることができれば必ずしも光信号の受光レベルを検出する必要は無い。検出された受光レベルは制御回路８に通知される。
【００２７】
制御回路８は、光レベルモニタ７から通知される受光レベルが既定の閾値以下となった場合には、可変アッテネータ５の減衰量を強制的に最大とする。これは、レベルモニタ２５によりモニタされるパイロット信号２３の平均電力によらず実行される。これにより受光レベルが低下した場合には出力端子７０からの出力レベルが強制的に０レベル相当とされる。
【００２８】
図５は、比較のため既存の光伝送システムにおける光送信装置および光受信装置を示す機能ブロック図である。図５において光送信機ＯＴは、主信号１にパイロット信号２３を重畳するための合成回路２２を備える。パイロット信号が重畳された主信号１は光信号に変換されて光受信機ＯＲに達する。光受信機ＯＲは光信号から主信号６を再生する。再生された主信号６は可変アッテネータ５を介して分離回路２４に入力される。分離回路２４は主信号６からパイロット信号２３を分離する。分離されたパイロット信号２３の平均電力はレベルモニタ２５によりモニタされ、その結果に基づいて、制御回路２６により可変アッテネータ５の減衰量が可変制御される。
【００２９】
図５の構成においては、主信号６の利得制御がパイロット信号２３のレベルだけに頼って実施されるため、パイロット信号２３のレベル低下と光信号の断状態とが区別されない。このため光信号が断となった場合には可変アッテネータ５の減衰量が最低となり、この状態から光信号が復旧すると出力端子７０から出力される主信号６のレベルが過度に大きくなる。子局装置３０においては出力端子７０に無線送信機（図示せず）が接続されるため、過度に送信電力の大きい電波が放射される虞が有り好ましく無い。
【００３０】
これに対し本実施形態では、移動通信システムの無線区間通信に使用される無線周波数帯域の主信号１にパイロット信号２３を合成した信号でアナログ変調された光信号を光ファイバ３を介して伝送する光伝送システムにおいて、光受信機ＯＲ１に光レベルモニタ７を備える。また、光受信機ＯＲ１において再生された無線周波数信号の利得を制御するための可変アッテネータ５を出力端子７０の前段に設ける。そして、受信信号に含まれるパイロット信号２３のレベルをもとに主信号６のレベルを安定化させるとともに、光レベルモニタ７によりモニタされる光信号の受光レベルが閾値以下となった場合には、可変アッテネータ５の減衰量を強制的に最大とする。このようにすることで、主信号６の出力レベルが過度に大きくなることを防止するようにしている。
【００３１】
このようにしたので、信号の伝送利得を既定値に安定化させることと、再生信号のレベルが規定値を超えることを防止することとが両立できるようになり、これにより運用面での便宜の向上を図った光伝送システムとその光受信装置を提供することが可能になる。
【００３２】
なお、本発明は上記実施の形態に限定されるものではなく、例えば図２の可変アッテネータ５に代えて可変利得増幅器を用いるようにしても良い。さらに本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。
【図面の簡単な説明】
【００３３】
【図１】本発明に係わる光伝送システムの実施の形態を示すシステム図。
【図２】本発明に係わる光送信装置および光受信装置の実施の形態を示す機能ブロック図。
【図３】図２の光送信機ＯＴ１の一構成例を示すブロック図。
【図４】図３の光出力安定化回路３４の作用を説明するための図。
【図５】比較のため既存の光伝送システムにおける光送信装置および光受信装置を示す機能ブロック図。
【符号の説明】
【００３４】
Ｃ…同軸ケーブル、Ｔ１，Ｔ２…移動局、ＯＴ１…光送信機、ＯＲ１…光受信機、３…光ファイバ、４…光／電気変換部、５…可変アッテネータ、７…光レベルモニタ、８…制御回路、２０…親局装置、２２…合成回路、２４…分離回路、２５…レベルモニタ、２６…制御回路、３０…子局装置、３１…発光素子、３２…受光素子、３３…フォトダイオード、３４…光出力安定化回路、４０…基地局、５０…光中継装置、６０…入力端子、７０…出力端子、１００…ビル
【図１】
2005277717.tif 000003
【図２】
2005277717.tif 000004
【図３】
2005277717.tif 000005
【図４】
2005277717.tif 000006
【図５】
2005277717.tif 000007